(57)【要約】【課題】アクセス許可リストによりアクセス可能な移動局を制限している基地局において、アクセス許可リストを追加する際には、アクセス許可リスト設定装置から設定する必要があった。【解決手段】既に登録されている管理者移動局からの操作により、一時的に基地局をどの移動局からでも位置登録が可能な状態に遷移させ、かつ、アクセス許可リストに追加したい移動局から操作を行ない、フェムト無線基地局上で照合を行なうことにより、アクセス許可リストの追加を行なう。【選択図】図９
2013135279.tif 000002
【特許請求の範囲】
【請求項１】
アクセス許可リストに基づいて、アクセス可能な移動局を制限する無線基地局において、
特定移動局からの操作によって、前記アクセス許可リストに移動局を追加するモードに遷移し、追加する移動局から位置登録要求を受信したとき、位置登録リストに追加し、前記追加する移動局からアクセス許可要求を受信したとき、前記アクセス許可リストに前記追加する移動局を登録することを特徴とする無線基地局。
【請求項２】
請求項１に記載の無線基地局において、
追加する移動局から位置登録要求を受信したとき、交換局に認証要求を送信することを特徴とする無線基地局。
【請求項３】
請求項１または請求項２に記載の無線基地局において、
前記アクセス許可リストに移動局を追加するモードは、タイマーより通常モードに遷移させることを特徴とする無線基地局。
【請求項４】
アクセス許可リストに基づいて、アクセス可能な移動局を制限する無線基地局における制御方法において、
特定移動局からの操作によって、前記アクセス許可リストに移動局を追加するモードに遷移するステップと、
追加する移動局から位置登録要求を受信したとき、位置登録リストに追加するステップと、
前記追加する移動局からアクセス許可要求を受信したとき、前記アクセス許可リストに前記追加する移動局を登録するステップと、を含む無線基地局の制御方法。
【発明の詳細な説明】
【技術分野】
【０００１】
本発明は、無線基地局および無線基地局の制御方法に係り、特にアクセス制限のある無線基地局および無線基地局の制御方法に関する。
【背景技術】
【０００２】
近年、無線基地局として屋内をカバレッジエリアとする超小型無線基地局（以後、フェムト無線基地局）の導入が進んでいる。フェムト無線基地局は、家庭向けのブロードバンド回線を中継網として、センタ局と接続されるため、低コストで設置できる。
【０００３】
従来の移動通信システムでは、フェムト無線基地局のカバレッジエリアに移動局が入ることにより、ハンドオーバ処理や位置登録処理が発生し、不特定多数の移動局がフェムト無線基地局を利用できる状態であった。
【０００４】
そのため、不特定多数の移動局が利用することを制限するため特許文献１で知られているように、フェムト無線基地局には、特定のユーザのみフェムト無線基地局を利用することを可能にするアクセス制限機能が存在する。ユーザを限定しないで運用するモードをオープンモード、特定のユーザのみ許可するモードをクローズドモードと呼ばれる。また、フェムト無線基地局を利用することを許可する特定のユーザを記載したデータをアクセス許可リストと呼ぶ。
【０００５】
ところで、３ＧＰＰ２（Third Generation Partnership Project 2）の、ＣＤＭＡ（Code Division Multiple Access）２０００方式の場合を例に、フェムト無線基地局上にアクセス許可リストが存在する場合の位置登録の方法について図１を用いて説明する。
【０００６】
図１において、移動局１００は、フェムト無線基地局２００にＲｅｇｉｓｔｒａｔｉｏｎ Ｍｅｓｓａｇｅ（位置登録要求）を送信する（Ｓ５０１）。Ｒｅｇｉｓｔｒａｔｉｏｎ Ｍｅｓｓａｇｅは、ＩＭＳＩ（International Mobile Subscriber Identity）と呼ばれる携帯機器加入者識別情報が含まれている。
【０００７】
Ｒｅｇｉｓｔｒａｔｉｏｎ Ｍｅｓｓａｇｅを受信したフェムト無線基地局２００は、移動局１００の位置登録要求を許可するべきか否かについて判定する（Ｓ５０２）。ここでは、フェムト無線基地局２００は、移動局１００の位置登録要求を許可するとして、Ｒｅｇｉｓｔｒａｔｉｏｎ Ａｃｃｅｐｔｅｄを移動局１００に送信する（Ｓ５０３）。なお、フェムト無線基地局２００が、移動局１００の位置登録要求を許可しないとき、フェムト無線基地局２００は、ステップ５０３でＲｅｇｉｓｔｒａｔｉｏｎ Ｒｅｊｅｃｔを移動局１００に送信する。
【０００８】
図２を参照して、移動局の位置登録要求を許可するかの否かの判定方法を説明する。図２において、フェムト無線基地局２００は、自局がオープンモードあるいはクローズドモードのどちらかに設定されているか確認する（Ｓ６０１）。
【０００９】
オープンモードの場合に設定されている場合、フェムト無線基地局２００は、交換局４２０に情報を通知する（Ｓ６０４）。フェムト無線基地局２００は、交換局４２０から情報を受信する（Ｓ６０５）。フェムト無線基地局２００は、受信内容の確認を確認する（Ｓ６０６）。
【００１０】
交換局４２０からの情報もＡｃｃｅｐｔの場合、フェムト無線基地局２００は、位置登録リストに追加を行ない、移動局１００に対してＡｃｃｅｐｔを送信する（Ｓ６０７）。一方、Ｒｅｊｅｃｔの場合、フェムト無線基地局２００は、移動局１００に対してＲｅｊｅｃｔを送信する（Ｓ６０３）。
【００１１】
一方、ステップ６０１でクローズドモードに設定されている場合、フェムト無線基地局２００は、当該移動局のＩＭＳＩがアクセス許可リストに設定されているか否かを判定する（Ｓ６０２）。ＹＥＳのとき、フェムト無線基地局２００は、ステップ６０４に遷移する。ステップ６０２でＮＯのとき、フェムト無線基地局２００は、ステップ６０３に遷移する。
【００１２】
図３を参照して、アクセス許可リストを説明する。図３において、フェムト無線基地局２００が保持するアクセス許可リストは、アクセス許可の加入者識別番号で構成されている。フェムト無線基地局２００は、アクセス許可リストに加入者識別番号がある移動局１００について、図２のステップ６０４の処理に進む。一方、アクセス許可リストに、当該移動局のＩＭＳＩが存在しない場合、フェムト無線基地局２００は、ステップ６０３で移動局１００にＲｅｊｅｃｔを送信する。
【００１３】
なお、フェムト無線基地局２００に存在するアクセス許可リストを更新する際には、オペレータの操作により、フェムトＧＷを介して接続されたアクセス許可リスト設定装置から設定する必要がある。
【先行技術文献】
【特許文献】
【００１４】
【特許文献１】特開２０１１−０８３００５号公報
【発明の概要】
【発明が解決しようとする課題】
【００１５】
電波不感地帯に置いたフェムト無線基地局２００において、クローズドモードに設定すると、あらかじめ登録してあるユーザのみ通話可能であり、非登録ユーザはサービスを利用することはできない。フェムト無線基地局２００を設置しているユーザ宅に来訪した非登録ユーザにフェムト無線基地局２００のサービスを利用させる場合、オペレータに依頼してアクセス許可リスト設定装置から登録ユーザの設定を実施する必要がある。非登録ユーザは、手続きが完了するまではサービスを提供することができない。
【００１６】
また、アクセス許可リストを登録する際には、移動局電話番号とは異なる加入者識別番号のＩＭＳＩで登録する必要がある。しかし、ＩＭＳＩは、一般ユーザが知ることができないものであり、ユーザだけの操作で容易にフェムト無線基地局上に存在するアクセス許可リストに追加することはできない。
【００１７】
本発明は、上述した課題を解決するアクセス制限のあるフェムト無線基地局２００に対して、アクセス可能移動局をユーザの操作のみで登録する方法およびその機能を具備したフェムト無線基地局３００を提供する。
【課題を解決するための手段】
【００１８】
フェムト無線基地局３００は、登録されている管理者移動局１００−１からの操作により、フェムト無線基地局３００をアクセス許可リスト登録モードに遷移する機能を具備する。ここで、アクセス許可リスト登録モードは、どの移動局から位置登録要求を受信したとしても、アクセス許可として動作する状態である。さらに、アクセス許可リストに追加されたい移動局１００−２から操作を行ない、フェムト無線基地局３００で照合を行なう。これにより、オペレータのアクセス許可リスト設定装置による登録操作を必要とせず、ユーザからの端末操作でアクセス許可リストへの登録ユーザの即時追加を実現する。
【００１９】
上述した課題は、アクセス許可リストに基づいて、アクセス可能な移動局を制限する無線基地局において、特定移動局からの操作によって、アクセス許可リストに移動局を追加するモードに遷移し、追加する移動局から位置登録要求を受信したとき、位置登録リストに追加し、追加する移動局からアクセス許可要求を受信したとき、アクセス許可リストに追加する移動局を登録する無線基地局により、達成できる。
【００２０】
また、アクセス許可リストに基づいて、アクセス可能な移動局を制限する無線基地局における制御方法において、特定移動局からの操作によって、アクセス許可リストに移動局を追加するモードに遷移するステップと、追加する移動局から位置登録要求を受信したとき、位置登録リストに追加するステップと、追加する移動局からアクセス許可要求を受信したとき、アクセス許可リストに追加する移動局を登録するステップと、を含む無線基地局の制御方法により、達成できる。
【発明の効果】
【００２１】
本発明によれば、ユーザの端末操作により、ユーザ宅に来訪した非登録ユーザに対して、フェムト無線基地局のサービスを利用させることが可能となる。
【図面の簡単な説明】
【００２２】
【図１】ＣＤＭＡ２０００ １ｘ方式の位置登録を説明するシーケンス図である。
【図２】フェムト無線基地局の位置登録処理のフローチャートである。
【図３】アクセス許可リストを説明する図である。
【図４】フェムトセルシステムの構成を説明するブロック図である。
【図５】フェムト基地局の構成を説明するブロック図である。
【図６】位置登録制御部のブロック図である。
【図７】アクセス許可リストテーブルを説明する図である。
【図８】フェムト無線基地局の状態遷移図である。
【図９】アクセス許可に至るまでのシーケンス図である。
【図１０】クローズドモード中に発信操作があった場合の処理を説明するフローチャートである。
【図１１】アクセス許可リスト追加モード中に発信操作があった場合の処理を説明するフローチャートである。
【図１２】アクセス許可リスト変更モードの終了、または、アクセス許可リスト変更モードになり一定時間が経過し終了する場合の処理を説明するフローチャートである。
【発明を実施するための形態】
【００２３】
以下、本発明の実施の形態について、実施例を用い図面を参照しながら詳細に説明する。なお、実質同一部位には同じ参照番号を振り、説明は繰り返さない
図４を参照して、無線通信システムの構成を説明する。図４において、無線通信システム５００は、移動局１００と、フェムト無線基地局３００と、センタ局４００とから構成されている。センタ局４００は、フェムトＧＷ４１０と、交換局（ＭＳＣ）４２０と、アクセス許可リスト設定装置４３０とから構成されている。移動局１００−１は、フェムト無線基地局３００の管理移動局である。移動局１００−２は、アクセスリストに登録のない移動局である。
【００２４】
移動局１００−１のＩＭＳＩは、ＡＡＡＡＡＡＡＡＡＡである。移動局１００−２のＩＭＳＩは、ＣＣＣＣＣＣＣＣＣＣである。移動局１００−２のＩＭＳＩは、図３のアクセス許可リストに登録されていない。
交換局ＭＳＣ４２０は、複数存在して、互いに接続されていることがあるが、説明の便宜上、１つのみを示し簡略化する。
【００２５】
図５を参照して、フェムト無線基地局の構成を説明する。図５において、フェムト無線基地局３００は、アンテナ部３１０と、受信部３２０と、送信部３３０と、通信制御部３４０と、基地局情報管理部３５０と、位置登録制御部３６０と、位置登録リスト管理部３７０と、アクセス許可リスト管理部３８０と、有線通信部３９０とで構成されている。
【００２６】
アンテナ部３１０は、送信部３３０が出力する無線信号を送信する。アンテナ部３１０は、また、無線信号を受信して受信部３２０に出力する。受信部３２０は、受信信号からデータを読み出し通信制御部３４０に出力する。送信部３３０は、通信制御部３４０からのデータを無線信号にし、アンテナ部３１０に出力する。通信制御部３４０は、通信制御を行なう。基地局情報管理部３５０は、オープンモード、クローズドモードの状態、送信電力など基地局のパラメータを管理する。位置登録制御部３６０は、通信制御部３４０を介して受信した移動局１００の位置登録信号と、位置登録リスト管理部のデータおよびアクセス許可リスト管理部のデータより位置登録の判断を制御する。位置登録リスト管理部３７０は、フェムト無線基地局上に位置登録されている移動端末のデータを管理する。アクセス許可リスト管理部３８０は、クローズドモード中にアクセスを許可する移動端末および管理者移動端末のデータを管理する。有線通信部３９０は、有線回線とのインタフェースである。
【００２７】
図６を参照して、アクセス許可の判定を行なう位置登録制御部の構成を説明する。図６において、位置登録制御部３６０は、位置登録要求受信部３６１と、位置登録処理部３６２と、交換局インタフェース３６３と、位置登録応答送信部３６４とから構成されている。
【００２８】
位置登録要求受信部３６１は、位置登録要求を受信する。位置登録処理部３６２は、アクセス許可リスト管理部３８０を参照して、位置登録を判断する。位置登録処理部３６２は、位置登録を認めた移動局１００について、位置登録リスト管理部３７０にアクセスして位置登録リストに登録する。交換局インタフェース３６３は、交換局とのインタフェースである。位置登録応答送信部３６４は、ＡｃｃｅｐｔまたはＲｅｊｅｃｔ応答を送信する。
【００２９】
図７を参照して、アクセス許可リスト管理部３８０のアクセス許可リストテーブルを説明する。図７において、クローズドモード中に位置登録を許可する移動局が登録されているアクセス許可リストは、アクセス許可のＩＭＳＩと、管理者移動局を示す管理者フラグと、アクセス許可リストに追加した際のアクセスリスト上に存在する満了期限を持つ。アクセス許可リストは、少なくとも管理者移動局の一つをあらかじめオペレータによって登録されている必要がある。ここでは、移動局１００−１が、あらかじめ登録された管理者移動局である。
【００３０】
図８を参照して、フェムト無線基地局の状態遷移を説明する。図８において、フェムト無線基地局３００の状態として、クローズドモードとアクセス許可リスト追加モードが存在する。この状態を遷移するのは、管理者移動局１００−１から状態遷移を行なうコマンド、または、特定番号の発信操作による。
【００３１】
図９を参照して、フェムト無線基地局に位置登録されていない移動局を、アクセス許可リストに登録処理を行なう動作について説明する。図９において、管理者移動局１００−１は、あらかじめフェムト無線基地局３００がアクセス許可リスト登録作業だと認識している番号とそれに続けて暗証番号を含めて発信操作を行なう（Ｓ１０１）。フェムト無線基地局３００は、アクセス許可リストの追加操作であるかを確認し、アクセス許可リスト登録モードに遷移する（Ｓ１０２）。移動局１００−２は、ユーザの操作により無線基地局のセルサーチ動作に入る。移動局１００−２は、フェムト無線基地局３００を検出し、フェムト無線基地局３００に位置登録要求を送信する（Ｓ１０３）。この位置登録要求には、移動局のＩＭＳＩが含まれている。
【００３２】
位置登録要求を受けたフェムト無線基地局３００は、交換局４２０に認証要求を送信する（Ｓ１０４）。交換局４２０は、認証操作を行なう。この場合、認証ＯＫなので、交換局４２０は、フェムト無線基地局３００に位置登録Ａｃｃｅｐｔの応答を送信する（Ｓ１０６）。フェムト無線基地局３００は、位置登録リストに追加を行なう（Ｓ１０７）。フェムト無線基地局３００は、位置登録許可応答を移動局１００−２に対して送信する（Ｓ１０８）。
【００３３】
ユーザ側の操作により、移動局１００−２は、フェムト無線基地局３００がアクセス許可リスト登録作業だと認識している番号と、それに続けて管理者移動局１００−１からの発信に含めた暗証番号を用いて発信操作を行なう（１０９）。フェムト無線基地局３００は、ステップ１０２に含められた暗証番号とステップ１０９の暗証番号とに基づいて、認証を行ない、アクセス許可リストに当該移動局のＩＭＳＩおよび１日後を設定した満了期限の設定を行なう（Ｓ１１０）。フェムト無線基地局３００は、移動局１００−２に正常終了のＡＣＫを送信する（Ｓ１１１）。
【００３４】
アクセス許可リスト登録モードを開始してから一定期間を経過した場合、フェムト無線基地局３００は、アクセス許可リスト変更モードを終了し、クローズモードにする（Ｓ１１２）。なお、管理者移動局１００−１からのコマンド入力または特定番号の発信操作でもクローズドモードに戻れる。
【００３５】
以上の動作により、アクセス許可リストへの追加作業が終了し、登録を行なう端末をアクセス許可リストへの登録可能である。なお、追加したアクセス許可リストのユーザの満了期限は、その移動局から発信操作や定期的に端末からの位置登録継続要求があった場合に、満了期限を更新することができる。満了期限を越えたアクセス許可リストの移動局について、フェムト無線基地局３００は、削除を行なう。
【００３６】
図１０を参照して、フェムト無線基地局がクローズドモード中に発信操作があった場合の動作を説明する。このフローは、フェムト無線基地局３００がクローズドモード中に発信操作を受け付けたことによって、開始される。図１０において、移動局から発信操作であった場合、フェムト無線基地局３００は、当該移動局が管理者移動局であるか判定を行なう（Ｓ２０１）。当該移動局が管理者移動局でない場合（ＮＯ）、フェムト無線基地局３００は、通常発信動作を継続する（Ｓ２０４）。
【００３７】
ステップ２０１で当該移動局が管理者移動局である場合（ＹＥＳ）、フェムト無線基地局３００は、その発信先番号がアクセス許可リスト登録作業の番号であるか判定を行なう（Ｓ２０２）。アクセス許可リスト登録作業番号でない場合、フェムト無線基地局３００は、通常の発信処理を継続して行なう。一方、アクセス許可リスト登録作業を含む番号の場合、フェムト無線基地局３００は、暗証番号を格納し、アクセス許可リスト追加モードに遷移する（Ｓ２０３）。
【００３８】
図１１を参照して、フェムト無線基地局がアクセス許可リスト登録モード中に発信操作受け付けた場合の動作を説明する。図１１において、アクセス許可リスト追加モード中に発信操作があった場合、フェムト無線基地局３００は、発信元の移動局がアクセス許可リストに登録のある移動局であるか判定を行なう（Ｓ３０１）。アクセス許可リストに登録のある移動局の場合（ＹＥＳ）、通常の発信動作を継続する（Ｓ３０２）。
【００３９】
ステップ３０１で、アクセス許可リストに登録のない端末である場合（ＮＯ）、フェムト無線基地局３００は、発信先番号と暗証番号の判定を行なう（Ｓ３０３）。ステップ３０３では、フェムト無線基地局３００は、発信先番号がアクセス許可リスト追加番号であり、かつ、管理者移動局１００−１がアクセス許可リスト追加モードに変更した際に挿入した暗証番号と一致しているか判定を行なう。
【００４０】
ステップ３０３でＮＯの場合、当該移動局はアクセス許可リストへの追加を行なう端末ではないため、フェムト無線基地局３００は、発信操作のＲｅｊｅｃｔと位置登録のｕｎｒｅｇｉｓｔｅｒを行なう（Ｓ３０４）。ステップ３０３の判定がＹＥＳの場合、アクセス許可リストに当該移動局のＩＭＳＩを登録する（Ｓ３０５）。
【００４１】
アクセス許可リスト追加モード中のフェムト無線基地局３００は、どの端末も位置登録を受け付ける状態である。このため、意図しない移動局の位置登録が発生し、発信操作が行なわれない場合は、フェムト無線基地局に位置登録が残ったままとなり都合がよくない。
【００４２】
管理者移動局から状態遷移の番号を含む発信があった場合および、管理者移動局よりアクセス許可リストに追加モードに変更したが、例えば３分などの一定期間の間に、登録を希望する端末からの位置登録や発信操作がなかった場合、フェムト無線基地局３００は、不要な位置登録が発生した移動局の解除作業が必要である。
【００４３】
図１２を参照して、アクセス許可リスト変更モードの終了、または、アクセス許可リスト変更モードになり一定時間が経過し終了する場合のフェムト無線基地局のフローを説明する。図１２において、フェムト無線基地局３００は、クローズドモードに変更する（Ｓ４０１）。これにより、フェムト無線基地局３００は、新たな位置登録が発生した際にアクセス許可リストにある移動局以外は、移動局からの位置登録要求があっても位置登録許可をしない。
【００４４】
フェムト無線基地局３００は、位置登録はあるが、アクセス許可リストに存在しない移動局かチェックを行なう（Ｓ４０２）。移動局が存在する場合、フェムト無線基地局３００は、当該移動局の位置登録の削除操作を行なう（Ｓ４０３）。存在しない場合、フェムト無線基地局３００は、そのまま終了する。
【００４５】
本実施例によれば、ユーザの端末操作により、ユーザ宅に来訪した非登録ユーザに対して、フェムト無線基地局のサービスを利用させることができる。
【符号の説明】
【００４６】
１００…移動局、２００…フェムト無線基地局、３００…フェムト無線基地局、３１０…アンテナ部、３２０…受信部、３３０…送信部、３４０…通信制御部、３５０…基地局情報管理部、３６０…位置登録制御部、３６１…位置登録要求受信部、３６２…位置登録処理部、３６３…交換局インタフェース、３６４…位置登録応答送信部、３７０…位置要録リスト管理部、３８０…アクセス許可リスト管理部、３９０…有線通信部、４００…センタ局、４１０…フェムトＧＷ、４２０…交換局（ＭＳＣ）、４３０…アクセス許可設定装置、５００…無線通信システム。
【図１】
2013135279.tif 000003
【図２】
2013135279.tif 000004
【図３】
2013135279.tif 000005
【図４】
2013135279.tif 000006
【図５】
2013135279.tif 000007
【図６】
2013135279.tif 000008
【図７】
2013135279.tif 000009
【図８】
2013135279.tif 000010
【図９】
2013135279.tif 000011
【図１０】
2013135279.tif 000012
【図１１】
2013135279.tif 000013
【図１２】
2013135279.tif 000014